(57)【要約】【課題】            全部または一部の片の表面および／または裏面が情報表示部となっている型シートを、折り畳んでカードケースとすることによって、多くの情報が表示できると共に、多数のカード類を収納でき、しかもカードの収納部が設けられているので収納保持の信頼性も高いカードケース型情報シートを提供する。【解決手段】        折り畳んで複数のカード類を収納できる複数のカード類の収納部を備えるカードケースに形成できる型シートを形成し、該型シートの各片の表裏面が各種情報の表示部となっている。【選択図】          図２
0003123035.tif 000002
【実用新案登録請求の範囲】
【請求項１】
中央部に所定の大きさの窓を形成した方形の表片と、該表片の下側右寄りに折線を介して連設された切込線を有する第１フラップと、表片の右側に折線を介して連設された方形の第１中間片と、該第１中間片の上側左寄りに折線を介して連設された切込線を有する第２フラップと、表片の左側に折線を介して連設された方形の第２中間片と、該第２中間片の左側に折線を介して連設された方形の裏片と、該裏片の左側に折線を介して連設された第１折込片と、該第１折込片の左側に折線を介して連設された第２折込片と、を備える型シートに形成され、
該型シートにおける全部または一部の片の表面および／または裏面が、情報表示部となり、
この型シートにおいて、第１中間片を折線を介して表片上に折り重ね、その折り重ねた第１中間片の上に第２中間片を折線を介して折り重ねて、今まで裏面側だった該第２中間片に連接する裏片、第１折込片および第２折込片が表面側となって第２中間片の右側に連接する状態とし、第１フラップおよび第２フラップを折線を介して第２中間片の上に折り重ね、第１フラップと第２フラップを重ね合わせると共に第１フラップと第２フラップの切込線に互いのフラップを挿入して両フラップを結合し、裏片を折線を介して第２中間片および両フラップ上に重ね合わせ、裏片と第１折込片との間の折線を介して第１折込片を裏片側に折り畳むと共に第１折込片と第２折込片との間の折線を介して第２折込片を折り返し、この折り重ねられた第１折込片と第２折込片を、両者の間の折線を先端頂部として前記結合したフラップと第２中間片との間に挿入してなることを特徴とするカードケース型情報シート。
【請求項２】
前記第２折込片の左側に１又は複数の折込片が折線を介して設けられることを特徴とする請求項１記載のカードケース型情報シート。
【請求項３】
前記表片の上側に折線を介して抜止片が設けられ、この抜止片が折線を介して表片上に内側に折り込まれていることを特徴とする請求項１または２記載のカードケース型情報シート。
【請求項４】
前記第２折込片の左側端に摘み片が設けられていることを特徴とする請求項１または２記載のカードケース型情報シート。
【考案の詳細な説明】
【技術分野】
【０００１】
この考案は、各種情報を表示できるスペースが多く、かつ各種カード、定期券等を収納できる携帯に便利なカードケース型情報シートに関し、特に、カード等の収納に併用する場合は、そのカードに関する情報が表示できるカードケース型情報シートに関する。
【背景技術】
【０００２】
従来、表紙の略中央部に二つ折りする折り目が形成され、その一方の表紙の端部に突部が形成され、他方の表紙の端部に折曲部が形成され、前記折曲部に、前記突部が挿入して２片の表紙を二つ折り状態に保持する係止部が形成されている折り畳み情報シート、および前記折曲部の側端に連続して複数の表示部が形成された折り畳み情報シートが、この考案の出願人および考案者によって提案されている（例えば、特許文献１参照）。
【特許文献１】実用新案登録第３０１６３３２号公報
【考案の開示】
【考案が解決しようとする課題】
【０００３】
前記折り畳み情報シートは、多くの情報を表示できるし、カードも収納できる好ましいものである。
しかし、この折り畳み情報シートではカード類を表紙と表紙の間に挟み込んで使用するものであるため、携帯して使用する際にカード類が抜け落ち易く、紛失するおそれもあり、収納保持の信頼性に欠ける課題がある。
また、カード類を表紙と表紙の間に挟み込んで使用するものなので、カード類の収納できる枚数も少ないものとなる、結局、他のカード類の収納ケースも必要となる、ということになれば、携帯点数も多くなるし、その分経済的負担も多くなる。
この考案は、このような課題を解決せんと提案されたものであり、全部または一部の片の表面および／または裏面が情報表示部となっている型シートを、折り畳んでカードケースとすることによって、多くの情報が表示できると共に、多数のカード類を収納でき、しかもカードの収納部が設けられているので収納保持の信頼性も高いカードケース型情報シートの提供を目的とする。
【課題を解決するための手段】
【０００４】
前記課題を解決するため、この考案のカードケース型情報シートは、中央部に所定の大きさの窓を形成した方形の表片と、該表片の下側右寄りに折線を介して連設された切込線を有する第１フラップと、表片の右側に折線を介して連設された方形の第１中間片と、該第１中間片の上側左寄りに折線を介して連設された切込線を有する第２フラップと、表片の左側に折線を介して連設された方形の第２中間片と、該第２中間片の左側に折線を介して連設された方形の裏片と、該裏片の左側に折線を介して連設された第１折込片と、該第１折込片の左側に折線を介して連設された第２折込片と、を備える型シートに形成され、
該型シートにおける全部または一部の片の表面および／または裏面が、情報表示部となり、
この型シートにおいて、第１中間片を折線を介して表片上に折り重ね、その折り重ねた第１中間片の上に第２中間片を折線を介して折り重ねて、今まで裏面側だった該第２中間片に連接する裏片、第１折込片および第２折込片が表面側となって第２中間片の右側に連接する状態とし、第１フラップおよび第２フラップを折線を介して第２中間片の上に折り重ね、第１フラップと第２フラップを重ね合わせると共に第１フラップと第２フラップの切込線に互いのフラップを挿入して両フラップを結合し、裏片を折線を介して第２中間片および両フラップ上に重ね合わせ、裏片と第１折込片との間の折線を介して第１折込片を裏片側に折り畳むと共に第１折込片と第２折込片との間の折線を介して第２折込片を折り返し、この折り重ねられた第１折込片と第２折込片を、両者の間の折線を先端頂部として前記結合したフラップと第２中間片との間に挿入してなることを特徴とする。
【０００５】
この構成により、型シートは折り畳まれて複数のカード類の収納部を備えるカードケースに形成されているので、複数のカード類、定期券等を、この複数の収納部に収納することができる。
一方、型シートの一部または全部の片の表面および／または裏面が情報表示部となっているので、カードケースに折り畳んだ順序と逆の手順において、型シートの各片を順次展開することで、型シートの各片の表裏面に表示した情報を観ることができる。しかも型シートを折り畳んでカードケースに形成するのも、カードケースから一部または全部の片に展開するのも容易に可能となる。従って、カードケースの状態としておいたものを、展開して情報を見たり、その後、カードケースに折り畳んで形成するも容易にできる。
このことにより、例えば、何かの団体が会員を募集するような場合は、このカードケース型情報シートを、その団体の紹介や会員カードの情報およびその他の必要事項を表示したものとして、これに会員カードを収納して会員に手渡すこととすれば、会員は会員カードが保持できると共に、それらに関する情報がいつでも見ることができる便利なものとなる。
しかも受け取った会員は、会員カードだけでなく、他のカード類や定期券も収納して携帯使用することができる。また、収納部からのカード類の出入も容易にでき、使い勝手もよいものである。
【０００６】
また、この考案のカードケース型情報シートは、前記第２折込片の左側に１又は複数の折込片が折線を介して設けられることを特徴とする。
この構成により情報表示部を拡大することができ、より多くの情報を表示することができる。
【０００７】
また、この考案のカードケース型情報シートは、前記表片の上側に折線を介して抜止片が設けられ、この抜止片が折線を介して表片上に内側に折り込まれていることを特徴とする。
この構成により収納部に収納されたカード類は、収納部の出入口の抜止片により勝手に抜け出ることがなく、抜け落ちて紛失することが防止される。
【０００８】
さらに、この考案のカードケース型情報シートは、前記第２折込片の左側端に摘み片が設けられていることを特徴とする。
この構成により折り畳んだカードケース型情報シートーは、この摘み片を手に持って畳み込んだ一部の片を引き出して容易に展開して表示された情報を見ることができる。
なお、この考案で型シートの表面および裏面は、特に特定されているものではなく一方の面を表面とすれば、他方の面は裏面となるものである。
【考案の効果】
【０００９】
この考案のカードケース型情報シートによれば、次のような効果を奏する。
（１）この考案のカードケース型情報シートは、型シートを折り畳んで簡単にカードケースに形成できるし、カードケースとして形成された状態から容易に一部または全部の片を展開することができる。
（２）この考案の型シートは、折り畳まれて複数のカード類の収納部を備えるカードケースに形成されているので、複数のカード類、定期券等を、この複数の収納部に収納することができる。また、この収納部からのカード類の出入も容易にでき、使い勝手のよいものである。また、出入口に抜止片を有する収納部においては、収納したカード類はこの抜止片で抜け止めされるため、不用意に抜け落ちて紛失することも防止される。
【００１０】
（３）一方、型シートを形成する一部または全部の片の表面および／または裏面は、情報表示部となっているので、カードケースにより折り畳まれたカードケース型情報シートは、カードケースに折り畳んだ順序と逆の手順において、型シートの各片を順次展開することで型シートの各片の表裏面に表示した情報を見ることができる。
（４）しかも型シートを折り畳んでカードケースに形成するのもカードケースから一部または全部の片を展開するのも容易に可能となるので、カードケースの状態としておいたものを展開して情報を見たり、その後、カードケースに折り畳んで形成するのも容易にできるものである。
【００１１】
（５）また、型シートの各片の表裏面への情報の表示も、展開した型シートの状態で表示（例えば、印刷）できるし、型シートに打ち抜く時に同時に表示することも可能となるので、カードケースの形態として使用するものでも各片への情報の表示は容易にできるものである。
【００１２】
（６）何かの団体が会員を募集するような場合は、このカードケース型情報シートを、その団体の紹介や会員カードの情報およびその他の必要事項を表示したものとして、これに会員カードを収納して会員に手渡すこととすれば、会員は会員カードが保持できると共に、それらに関する情報がいつでも見ることができるし、受け取った会員は、会員カードだけでなく、他のカード類や定期券も収納して携帯使用することができる。
【考案を実施するための最良の形態】
【００１３】
以下、この考案の実施の形態を図面と共に詳細に説明する。図１はこの考案の実施の形態を示す型シートの展開表面図、図２は、この考案の実施の形態を示す型シートの展開裏面図、図３乃至図９は型シートからカードケースに折り畳む手順を工程順に示す説明図、図１０は折り畳み完成されたカードケースを示し、（ａ）はその表面図、（ｂ）はその裏面図である。なお、この型シートにおける表面および裏面は、特定されているものではなく、一方の面を表面とすれば、他方の面が裏面となるものである。この実施の形態では、図２に示す展開状態の型シート１を基準に説明する。
【００１４】
この型シート１は、プラスチックシートや紙シートを打ち抜き形成したものであり、図２に示すように中央部に所定の大きさの窓３を形成した方形の表片２と、この表片２の上側に折線５を介して連設された抜止片４と、表片２の下側右寄りに折線７を介して連設された切込線８を有する第１フラップ６と、表片２の右側に折線１０を介して連設された方形の第１中間片９と、該第１中間片９の上側左寄りに折線１２を介して連設された切込線１３を有する第２フラップ１１と、表片２の左側に折線１５を介して連設された方形の第２中間片１４と、該第２中間片１４の左側に折線１７を介して連設された方形の裏片１６と、該裏片１６の左側に折線１９を介して連設された第１折込片１８と、該第１折込片１８の左側に折線２１を介して連設された第２折込片２０と、この第２折込片２０の左端の中間に連設された摘み片２２と、を備える。
【００１５】
この型シート１の各片２、９、１４、１６、１８、２０およびフラップ６、１１における一部または全部の片およびフラップの表面および裏面は、情報の表示部となって所定の情報が表示される。即ち、この型シート１が情報シートとなっている。この型シート１の各片２、９、１４、１６、１８、２０およびフラップ６、１１への情報の表示は、図１および図２に示す展開状態として施すと、印刷等により簡単に表示できる。型シート１に打ち抜き形成する時に、同時に表示するようにしてもよいし、打ち抜き形成する前に、プラスチックシートや紙シートの原紙に表示（例えば、印刷）してから型シート１に打ち抜き形成してもよい。
【００１６】
次に、このように形成した型シート１からカードケースに折り畳む手順を説明するが、より判り易くするために各片、フラップの図１に示す面側にはＡの符号を付加し、図２に示す面側にはＢの符号を付加している。また、図１で示す面をＡ面、図２で示す面をＢ面と表記している。
まず、図２に示す展開状態から図３に示すように抜止片４を折線５を介して表片２Ｂ（２）上に折り重ねる。次に、この図３の状態から図４に示すように第１中間片９（９Ｂ）を折線１０を介して抜止片４（４Ａ）および表片２Ｂ（２）上に折り重ねる。従って、図３ではＢ面が表面側だった第１中間片９（９Ｂ）および第２フラップ１１（１１Ｂ）が、図４では折り返されることによってＡ面が表面側となっている。
【００１７】
次に、図４に示す状態から図５に示すように前記表片２Ｂ（２）上に折り重ねた第１中間片９（９Ｂ）の上に第２中間片１４Ｂ（１４）を折線１５を介して折り重ねる。このとき、裏片１６Ｂ（１６）、第１折込片１８Ｂ（１８）、および第２折込片２０Ｂ（２０）も引き連れて一緒に折り返される。従って、図４では第２中間片１４、裏片１６、第１折込片１８および第２折込片２０が左側に連設し、Ｂ面があらわれていたのが、図５に示すように表片４上に折り重ねられた第１中間片９の上に折線１５を介して第２中間片１４を折り重ねることによって、折り返されて今までＢ面だった第２中間片１４、裏片１６、第１折込片１８および第２折込片２０は、右側に連設し、Ａ面があらわれる。
【００１８】
次に、図５に示す状態から図６に示すように折り重ねられた第２中間片１４Ａ（１４）の上に折線１２を介して第２フラップ１１を折り重ね、また、図６に示す状態から図７に示すように第１フラップ６を折線７を介して第２中間片１４Ａ（１４）の上に折り重ね、第１フラップ６と第２フラップ１１を重ね合わせると共に、図７および図８に示すように第１フラップ６と第２フラップ１１の切込線８、１３に互いのフラップを挿入して両フラップ６、１１を結合する。これによりあらわれる面は、図７に示すように第１フラップ６はＡ面であり、第２フラップ１１はＢ面である。
【００１９】
次に図８に示すように図７の状態から第１折込片１８を折線１９を介して裏片１６Ａ（１６）の上に折り重ねると共に、第２折込片２０を折線２１を介して第１折込片１８上に折り返す。この手順は図８で矢印す工程となる。即ち、図８においては裏片１６と第１折込片１８とは折線１９を介して谷折りであり、第１折込片１８と第２折込片２０とは折線２１を介して山折りである。
【００２０】
最後に、この状態から図９に示すように裏片１６を折線１７を介して第２中間片１４および結合した両フラップ６、１１上に重ね合わせると共に、前記折り重ねられた第１折込片１８と第２折込片２０を、両者の間で折線２１を介して山折りした先端頂部から前記結合したフラップ６、１１と第２中間片１４との間に挿入する。これにより図１０（ａ）（ｂ）に示すようなカードケースが完成する。この時、図１０（ｂ）に示すように摘み片２２は、裏片１６より突出した状態となる。このカードケースでは、図１０（ａ）に示す表面側には、収納部２３、２４が形成され、図１０（ｂ）に示す裏面側では収納部２５が形成される。
【００２１】
このようにして折り畳み形成されたカードケースにおいては、前記と逆の手順によって容易に展開することができる。例えば、図１０（ａ）（ｂ）に示すカードケースの状態から摘み片２２を手に持って引き出せば、図９に示すように第１折込片１８および第２折込片２０を、結合したフラップ６、１１と第２中間片１４との間から引き出すことができるから、図７に示す状態に展開することができる。
更に展開する場合には図７に示す状態から両フラップ６、１１の切込線８、１３の結合を解除し、折り畳み時と逆の手順を取ることによって図１および図２の状態に展開することができる。
【００２２】
しかして、カードケース型情報シートは、情報シートとなる型シート１を折り畳んで簡単にカードケースに形成できるし、カードケースとして形成された状態から容易に一部または全部の片２、９、１４、１６、１８、２０およびフラップ６、１１に展開することができる。
そして、型シート１が折り畳まれたカードケースは、複数のカード類の収納部２３、２４、２５を備えるので、複数のカード類、定期券等を収納することができる。また、収納部２３の出入口には、抜止片４を備えるので、この収納部２３に収納したカード類は、抜止片４で不用意に抜け落ちるのが防止される。この抜止片４は必ずしも必要ではないが、設けるとカード類の抜け落ちが防止されるので好ましい。
【００２３】
また、型シートを形成する一部または全部の片２、９、１４、１６、１８、２０およびフラップ６、１１の表面および／または裏面は、情報表示部となっているのでカードケースに折り畳まれた情報シート（型シート）は、カードケースに折り畳んだ順序と逆の手順において、型シート１の各片２、９、１４、１６、１８、２０およびフラップ６、１１の表裏面に表示した情報を見ることができる。例えば、図１０（ａ）（ｂ）に示す状態のカードケースから摘み片２２を手に持って図９に示すように第１折込片１８および第２折込片２０を引き出すだけで、図７に示す状態に展開することができるから、この状態でも図７に示す各片１６、１８、２０の表裏面、および第２中間片１４のＡ面、表片２のＡ面第１フラップ６のＡ面、第２フラップ１１のＢ面に表示した情報は見ることができる。
従って、何かの団体が会員を募集するような場合は、このカードケース型情報シートを、その団体の紹介や会員カードの情報およびその他の必要事項を表示したものとして、これに会員カードを収納して会（入会者）に手渡すこととすれば、会員は会員カードが保持できると共に、それに関する情報がいつでも見ることができるし、受け取った会員は会員カードだけでなく、他のカード類や定期券も収納して使用することができる。
【００２４】
図１１および図１２は、型シート（情報シート）１に情報を表示した具体例を示す展開表面図および展開裏面図である。例えば、プロ野球球団が会員を募集するとすれば、図１１に示すように第２中間片１４のＡ面には、監督の写真や名前、裏片１６、第１折込片１８および第２折込片２０のＡ面には選手の写真や名前などの情報を表示し、図１２に示すように裏片１６、第１折込片１８および第２折込片２０のＢ面には、会員カードに関する情報（例えば、会員カードの使用方法、特典など）、第１中間片９のＢ面にはその他の必要事項を表示する。特に、裏片１６のＢ面は、カードケースに形成されたとき、カードケースの表面に位置するので、この部分には展開しないで見る有効な情報が記載される。
従って、野球球団になった会員は、カードケースとして会員カードをはじめとするカード類を収納して使用できると共に、会員カードに関する情報や球団に関する情報を見ることができる。本例では、選手名を知ることができるし、応援方法の記載があれば、それを取得して応援することもできる。また、カードケースに形成したとき、収納部２３には窓３が形成されているので、会員カードを取り出すことなく、カードケースごと提示することができる。
【００２５】
なお、前記実施の形態は、この考案を制限するものではなく、この考案は要旨を逸脱しない範囲において種々の変形が許容される。例えば、摘み片２２は、あるとカードケースの状態から展開するのに便利であるが、これはなくてもよいし、この摘み片２２をなくし、この摘み片２２の部分まで第２折込片２０を拡大してもよい。また、より多くの情報が必要な場合には、第２折込片２０に連続して折線を介して１乃至複数の折込片を追加してもよい。
また、第１フラップ６および第２フラップ１１の切込線８、１３は、互いのフラップ６、１１を挿入して結合できる構成であればよく特に制限はないが、図示のように少し傾斜した切込線８、１３としておくと、互いのフラップ６、１１を挿入したときに抜止めされて互いの結合が強固になるので好ましい。
さらに、用途、表示される情報も、この考案の要旨を逸脱しない範囲で自由であり、前記実施の形態に制限されるものではない。
【図面の簡単な説明】
【００２６】
【図１】この考案の実施の形態を示す型シートの展開表面図である。
【図２】この考案の実施の形態を示す型シートの展開裏面図である。
【図３】型シートからカードケースに折り畳む手順を示す工程説明図である。
【図４】型シートからカードケースに折り畳む次の手順を示す工程説明図である。
【図５】型シートからカードケースに折り畳む次の手順を示す工程説明図である。
【図６】型シートからカードケースに折り畳むまた次の手順を示す工程説明図である。
【図７】型シートからカードケースに折り畳む更に次の手順を示す工程説明図である。
【図８】型シートからカードケースに折り畳むまた更に次の手順を示す工程説明図である。
【図９】型シートからカードケースに折り畳むまた更に次の手順を示す工程説明図である。
【図１０】折り畳まれて完成したカードケースを示し、（ａ）はその表面図、（ｂ）は裏面図である。
【図１１】型シートに情報を表示した具体例を示す展開表面図である。
【図１２】型シートに情報を表示した具体例を示す展開裏面図である。
【符号の説明】
【００２７】
１  型シート（情報シート）
２  表片
３  窓
４  抜止片
５、７、１０、１２、１５、１７、１９、２１  折線
６  第１フラップ
８、１３  切込線
９  第１中間片
１１  第２フラップ
１４  第２中間片
１６  裏片
１８  第１折込片
２０  第２折込片
２２  摘み片
２３、２４、２５  収納部
【図１】
0003123035.tif 000003
【図２】
0003123035.tif 000004
【図３】
0003123035.tif 000005
【図４】
0003123035.tif 000006
【図５】
0003123035.tif 000007
【図６】
0003123035.tif 000008
【図７】
0003123035.tif 000009
【図８】
0003123035.tif 000010
【図９】
0003123035.tif 000011
【図１０】
0003123035.tif 000012
【図１１】
0003123035.tif 000013
【図１２】
0003123035.tif 000014